(57)【要約】      （修正有）【課題】ねじりばね部材の付勢力に抗してドア部材を開くとき、ドア部材に無理な力が加わらずにドア部材をスムースに開くことができ、腕部長さ調整の制約を受け難いねじりばね部材を有するカートリッジを提供する。また、組み立て工程においてねじりばねを絡み難くすることでカートリッジ製造の歩留まり低下を防止する。【解決手段】テープ状記録媒体を巻回するリールと、テープ状記録媒体を引き出す開口部を開閉するためのドア部材７と、ドア部材が開口部を常時閉じるようにドア部材を付勢するねじりばね部材１０と、を備え、ねじりばね部材は、ドア部材側に配置される第１のコイル部１１と、ドア部材から離れて配置される第２のコイル部１２と、を有し、第２のコイル部の径が第１のコイル部と異なるようにし、ドア部材がねじりばね部材の付勢力に抗して開く方向に移動するとき、第２のコイル部が第１のコイル部よりも変形し易いように構成される。【選択図】図５
2005129200.tif 000002
【特許請求の範囲】
【請求項１】
ケース側面に設けられた開口部を開閉するためのドア部材と、前記ドア部材が前記開口部を常時閉じるように前記ドア部材を付勢するねじりばね部材と、を備え、
前記ねじりばね部材は、前記ドア部材側に配置される第１のコイル部と、前記第１のコイル部に連結され前記第１のコイル部よりも前記ドア部材から離れて配置される第２のコイル部と、を有し、
前記第２のコイル部の径が前記第１のコイル部と異なるようにし、前記ドア部材が前記ねじりばね部材の付勢力に抗して開く方向に移動するとき、前記第２のコイル部が前記第１のコイル部よりも変形し易いように構成されたことを特徴とするカートリッジ。
【請求項２】
ケース側面に設けられた開口部を開閉するためのドア部材と、前記ドア部材が前記開口部を常時閉じるように前記ドア部材を付勢するばね部材と、を備え、
前記ねじりばね部材は、前記ドア部材側に配置される第１のコイル部と、前記第１のコイル部に連結され前記第１のコイル部よりも前記ドア部材から離れて配置される第２のコイル部と、を有し、前記第１のコイル部及び前記第２のコイル部の一方の外径が他方よりも大きく、かつ、その他方の外径が前記一方の内径よりも大きいことを特徴とするカートリッジ。
【請求項３】
前記ねじりばね部材は、前記第１のコイル部から前記ドア部材に延びて係止される第１の腕部と、前記第２のコイル部から前記ケース側に延びて当接する第２の腕部と、を有し、
前記第１の腕部の係止される端部が前記各コイル部の円形平面に対し略平行に巻かれており、前記第２の腕部の当接する端部が前記円形平面に対し略直行するように巻かれていることを特徴とする請求項１または２に記載のカートリッジ。
【請求項４】
前記ドア部材が前記ねじりばね部材の付勢力に抗して開き方向に移動するとき、前記第１のコイル部及び前記第２のコイル部が前記開き方向に位置を変えながら、前記ドア部材の移動量が少ないときは主に前記第２のコイル部が変形し、前記移動量が大きくなると前記第１のコイル部が前記ケース側面の厚さ方向における位置を変えながら変形することを特徴とする請求項１，２または３に記載のカートリッジ。
【発明の詳細な説明】
【技術分野】
【０００１】
本発明は、記録再生装置等に用いられるカートリッジに関する。
【背景技術】
【０００２】
下記特許文献１には、磁気記録再生装置に用いられる１リールタイプのテープカートリッジにおいて、ケースにテープ引出口を開閉するドア部材を設け、このドアを開閉するために、２つのコイル部を並べて連結したねじりコイルばねを用いてドア部材を閉じる方向に付勢するテープカートリッジが開示されている。
【０００３】
この従来のテープカートリッジは、図８に示すように、上ケース１００と下ケース２００から構成されるケース側面に形成されたテープ引出口Ｋを開閉するドア部材１７０がねじりコイルばね１６０により常時閉じられるように横方向Ｓ’に付勢されている。ねじりコイルばね１６０は、連結部１６０ａで連結された２つの同じ構成のコイル１６１，１６２と、一方のコイル１６１から連結部１６０ａに対して角度をなして延びて端部１６５でドア部材１７０に係止される第１腕部１６３と、他方のコイル１６２から連結部１６０ａに対して前記角度とは逆の方向に角度をなして延びて端部１６６で下ケース２００に当接する第２腕部１６４と、を有する。
【０００４】
図１０において、ドア部材１７０をねじりコイルばね１６０の付勢力に抗して横方向Ｓにスライドしながら開くとき、腕部１６３，１６４の長さの関係がある条件になると、ドア部材１７０側のコイル１６１が図の下方に突然、かくっと下がることがあり、このため、ドア部材１７０の横方向Ｓへの動きが不自然になり、場合によっては、ドア部材１７０を横方向Ｓに動かす力が急上昇することがある。かかるコイル１６１の不自然な動きは腕部１６３，１６４の長さを調整することである程度防止可能であるが、狭いスペースに配置されるねじりコイルばね１６０において腕部１６３，１６４の長さを調整するのも限界があり、また、精度よく調整する必要があり、部品コストアップにつながってしまう。
【０００５】
また、テープカートリッジの組み立て工程において、ねじりコイルばねが端部やコイルで絡みやすく解きづらくなってしまい、パーツフィーダなどで搬送するとき、ねじりコイルばねの繰り出し異常となって、組み立て工程での遅延の問題が生じ、歩留まり低下となる。
【特許文献１】特開２００２−１００１４８公報
【発明の開示】
【発明が解決しようとする課題】
【０００６】
本発明は、上述のような従来技術の問題に鑑み、ドア部材を閉じる方向に付勢するねじりばね部材の付勢力に抗してドア部材を開くとき、ドア部材に無理な力が加わらずにドア部材をスムースに開くことができるとともに、限られたスペースに配置されることに起因する腕部長さ調整の制約を受け難いねじりばね部材を有するカートリッジを提供することを目的とする。また、カートリッジの組み立て工程においてねじりばねを絡み難くすることでカートリッジ製造の歩留まり低下を防止できるような構成にすることである。
【課題を解決するための手段】
【０００７】
上記目的を達成するために、本発明によるカートリッジは、ケース側面に設けられた開口部を開閉するためのドア部材と、前記ドア部材が前記開口部を常時閉じるように前記ドア部材を付勢するねじりばね部材と、を備え、前記ねじりばね部材は、前記ドア部材側に配置される第１のコイル部と、前記第１のコイル部に連結され前記第１のコイル部よりも前記ドア部材から離れて配置される第２のコイル部と、を有し、前記第２のコイル部の径が前記第１のコイル部と異なるようにし、前記ドア部材が前記ねじりばね部材の付勢力に抗して開く方向に移動するとき、前記第２のコイル部が前記第１のコイル部よりも変形し易いように構成されたことを特徴とする。
【０００８】
このカートリッジによれば、第２のコイル部の径が第１のコイル部と異なるようにすることで、ドア部材がねじりばね部材の付勢力に抗して開く方向に移動するとき、ドア部材から離れた側の第２のコイル部がドア部材側の第１のコイル部よりも変形し易いので、ドア部材に無理な力が加わらずにドア部材をスムースに開くことができる。また、第２のコイル部を変形し易くするので、ねじりばね部材の腕部長さ調整の制約を受け難くなる。また、第２のコイル部の径が第１のコイル部と異なるので、カートリッジの組み立て工程においてねじりねじりばね部材が絡み難くなり、カートリッジ製造の歩留まり低下を防止できる。
【０００９】
本発明による別のカートリッジは、テープ状記録媒体を周囲に巻回するリールと、ケース側面に設けられた開口部を開閉するためのドア部材と、前記ドア部材が前記開口部を常時閉じるように前記ドア部材を付勢するねじりばね部材と、を備え、前記ねじりばね部材は、前記ドア部材側に配置される第１のコイル部と、前記第１のコイル部に連結され前記第１のコイル部よりも前記ドア部材から離れて配置される第２のコイル部と、を有し、前記第１のコイル部及び前記第２のコイル部の一方の外径が他方よりも大きく、かつ、その他方の外径が前記一方の内径よりも大きいことを特徴とする。
【００１０】
このカートリッジによれば、第１のコイル部及び第２のコイル部の一方の外径が他方よりも大きいので、ドア部材がねじりばね部材の付勢力に抗して開く方向に移動するとき、ドア部材から離れた側の第２のコイル部がドア部材側の第１のコイル部よりも変形し易く構成できる。このため、ドア部材に無理な力が加わらずにドア部材をスムースに開くことができる。また、第２のコイル部を変形し易くするので、ねじりばね部材の腕部長さ調整の制約を受け難くなる。また、第１のコイル部及び第２のコイル部の一方の外径が他方よりも大きく、かつ、その他方の外径が一方の内径よりも大きいので、組み立て工程等において、いずれか一方のコイル部が別のねじりばね部材の他方のコイル部に入り込んでしまうことがないので、第１のコイル部と第２のコイル部の径を異ならせても、ねじりばね部材同士が絡み難くなり、カートリッジ製造の歩留まり低下を防止できる。
【００１１】
また、上記各カートリッジにおいて、前記ねじりばね部材は、前記第１のコイル部から前記ドア部材に延びて係止される第１の腕部と、前記第２のコイル部から前記ケース側に延びて当接する第２の腕部と、を有し、前記第１の腕部の係止される端部が前記各コイル部の円形平面に対し略平行に巻かれており、前記第２の腕部の当接する端部が前記円形平面に対し略直行するように巻かれていることで、組み立て工程等において、ねじりばね部材同士が各腕部の端部で絡み難くなるとともに、第１の腕部の端部が各コイル部の円形平面に対し略平行に巻かれているので、ドア部材に対しスペースを要せずに第１の腕部を係止することができ、また、第２の腕部の端部が円形平面に対し略直行するように巻かれているので、ケース側に対し安定した位置決め状態で第２の腕部を保持できる。
【００１２】
また、前記ドア部材が前記ねじりばね部材の付勢力に抗して開き方向に移動するとき、前記第１のコイル部及び前記第２のコイル部が前記開き方向に位置を変えながら、前記ドア部材の移動量が少ないときは主に前記第２のコイル部が変形し、前記移動量が大きくなると前記第１のコイル部が前記ケース側面の厚さ方向における位置を変えながら変形するように構成することで、ドア部材に無理な力が加わらずにドア部材を更にスムースに開くことができる。
【発明の効果】
【００１３】
本発明のカートリッジによれば、ドア部材を閉じる方向に付勢するねじりばね部材の付勢力に抗してドア部材を開くとき、ドア部材がスムースに動くことができ、ドア部材に無理な力が加わらずにドア部材を開くことができるとともに、ねじりばね部材が限られたスペースに配置されることに起因する腕部長さ調整の制約を受け難くなる。また、カートリッジの組み立て工程においてねじりばね部材を絡み難くすることでカートリッジ製造の歩留まり低下を防止できるように構成可能となる。
【発明を実施するための最良の形態】
【００１４】
以下、本発明を実施するための最良の形態について図面を用いて説明する。図１は本実施の形態によるカートリッジの分解斜視図である。図２は図１のカートリッジのねじりばね部材の上面図（ａ）、側面図（ｂ）及び下面図（ｃ）である。図３は図１のカートリッジのドア部材をケース外面側から見た斜視図（ａ）及びその反対側から見た斜視図（ｂ）である。図４は図３のドア部材の装着部を拡大した正面図（ａ）、Ｂ−Ｂ線方向に切断してみた断面図（ｂ）、Ｃ−Ｃ線方向に切断してみた断面図（ｃ）及び装着部にねじりばね部材の端部を装着するときの様子を示す正面図（ｄ）である。なお、図１には上ケース１及びハブ部３２をそれぞれ裏面側から見た斜視図を併せて示す。
【００１５】
図１に示すカートリッジは、一例として磁気記録テープを収納するためのカートリッジを示し、上ケース１と下ケース２とからカートリッジケースが矩形または略正方形の平面状に構成され、磁気記録テープを巻回するテープリール３を内部に有し、記録再生装置に装着されたときに、テープリール３が回転可能になるように構成されている。上ケース１と下ケース２とは樹脂材料から一体成形によりそれぞれ形成され、合わされてケースを構成する。
【００１６】
テープリール３は、上フランジ３１と、下フランジ３３と、下フランジ３３と一体に形成されその周面にテープ状の磁気記録媒体を巻回するハブ部３２とを備え、図１のようにハブ部３２の下面３２ａ側には軟磁性体よりなる円形状の金属板３４が一体に設けられている。金属板３４の周囲には記録再生装置側の駆動軸の歯部（図示省略）と係合する係合歯３４ａが円周方向に三分割して設けられており、各係合歯３４ａの間には複数の孔３４ｂが下面３２ａの反対面に貫通して形成されている。金属板３４、係合歯３４ａ及び複数の孔３４ｂは下ケース２の貫通孔２１を通して外部に露出する。また、ハブ部３２の内側であって下面３２ａの反対面にはブレーキロック部材５の歯部５１と噛み合い係合する歯部３５が設けられている。
【００１７】
図１のように、ブレーキロック部材５は、ハブ部３２の内側に配置され、ハブ部３２の歯部３５と噛み合い係合する円形状の歯部５１と、歯部５１よりも小径の円筒端面に形成された十字状の係合穴５ａと、十字状の係合穴５ａの周囲の端部５ｂと、歯部５１の裏面側にブレーキロックスプリング４の端部４ｂが収まるように形成されたリング状溝５ｃとを備える。
【００１８】
図１のように、ブレーキロックスプリング４は、一端４ａが上ケース１の内面１ａの略中央に形成されたリング状溝１ｂに収まり、他端４ｂがブレーキロック部材５のリング状溝５ｃに収まるように組み込まれる。ブレーキロック部材５は、その十字状の係合穴５ａに上ケース１の内面１ａに直立して設けられた複数の係合突起部１ｃが入り込んで図の上下方向に移動可能に係合して上ケース１に取り付けられる。ブレーキロックスプリング４がリング状溝５ｃと上ケース１の内面１ａのリング状溝１ｂとの間に配置され、ブレーキロック部材５を歯部５１とハブ部３２の歯部３５とが噛み合い係合するように図の下方に常時付勢することで、ブレーキロック部材５がロック位置にあり、テープリール３の回転を妨げる。
【００１９】
ブレーキ解除部材６は、ハブ部３２とブレーキロック部材５との間に配置され、主板６ａと、主板６ａの周囲の複数箇所から図の下方に突き出た複数の脚部６ｂとを備える。複数の脚部６ｂは、ハブ部３２の下面の複数の孔３４ｂに挿入され、カートリッジが記録再生装置に装着されると、ブレーキ解除部材６の脚部６ｂが図の下から押されて上方に持ち上げられる。これにより、ブレーキロック部材５がブレーキ解除部材６の当て板６１を介してブレーキロックスプリング４の付勢力に抗して上方へ持ち上げられてその端部５ｂが内面１ａに当接するように非ロック位置に移動するようになっている。
【００２０】
図１のカートリッジでは、保管等の非使用時にはブレーキロック部材５がロック位置にあり、ブレーキロック部材５の歯部５１とハブ部３２の歯部３５とが噛み合い係合することで、テープリール３が回転できず、不要な回転が防止され磁気記録テープの緩み等を防ぐことができる。
【００２１】
また、テープリール３に巻回された磁気記録テープの先端８３（図１の破線で示す）がリーダ部材８に固定される。リーダ部材８では、磁気記録テープの先端８３がピン部材８１に巻きつけられ、その上からＣ字形クランプ８２が嵌め込まれることで固定される。
【００２２】
カートリッジが記録再生装置に装着されると、リーダ部材８が装置側の保持部材に保持されてテープ引き出しのための開口部７８から装置側に引き出されるようになっている。開口部７８は上ケース１と下ケース２とからなるケースの側面に形成されており、ドア部材７で閉塞される。
【００２３】
図１，図３（ａ）、（ｂ）のように、ドア部材７は、略矩形状の平板７２から構成され、一端部７ａ側に突き出るようにして設けられかつねじりばね部材１０の端部１０ａが押し込まれて装着される装着部７１と、記録再生装置に装着されたときに装置側の開放部材（図示省略）と係合するように他端部７ｂ側にケースの外側に突き出て設けられた係合部８０と、を有する。
【００２４】
ドア部材７の装着部７１は、図３，図４（ｂ），（ｃ）のように、表面７３と裏面７４との間に板厚を分断するようにスリット７５が形成され、スリット７５にねじりばね部材１０の端部１０ａが押し込まれるようになっている。裏面７４のスリット７５側の内面には、図４（ｂ）のように端部１０ａを止めるために突き出た凸部７７が形成されている。図４（ａ）のように、表面７３には略Ｌ字状形に開口７６が形成されているが、成形金型で凸部７７を形成する際に金型部材を配置するために形成されるものである。また、図４（ａ），（ｃ）のように、表面７３の開口７６近傍には端部１０ａの抜け止め平面７６ａが形成されている。
【００２５】
図４（ｄ）のように、スリット７５にねじりばね部材１０の端部１０ａを押し込むと、表面７３と裏面７４とが弾性変形しスリット７５が広がり、端部１０ａが抜け止め平面７６ａを通り凸部７７を超えてスリット７５の最深部に入り込む。これにより、ねじりばね部材１０の端部１０ａがドア部材７のスリット７５内で凸部７７で仮止めされる。
【００２６】
図２（ａ）〜（ｃ）のように、ねじりばね部材１０は、ばね鋼等の線材料からなり、円形状に巻かれた第１のコイル部１１と、円形状に巻かれた第２のコイル部１２と、両コイル部を連結する直線状の連結部１０ｃと、第１のコイル部１１から延びる直線状の第１の腕部１１ａと、第２のコイル部１２から延びる直線状の第２の腕部１２ａと、を有する。
【００２７】
図２（ｂ）のように、第１の腕部１１ａの端部１０ａは各コイル部１１，１２の円形平面に対し略平行に線材が１回巻かれており、また、第２の腕部１２ａの端部１０ｂは円形平面に対し略直行するように線材が１回巻かれている。
【００２８】
第２のコイル部１２の端部１０ｂは、各コイル部１１，１２の円形平面に対し略直行するように巻かれた状態で図１の下ケース２の溝７９内に位置し、このときの端部１０ｂの巻き径が溝７９の幅よりもわずかに小さく構成されている。第２の腕部１２ａは端部１０ｂに近い側に折れ曲がり部１０ｄを有する。
【００２９】
上述のように、端部１０ａと端部１０ｂが巻かれていることで、組み立て工程等において、ねじりばね部材１０同士が各腕部１１ａ，１２ａの端部で絡み難くなる。また、第１の腕部１１ａの端部１０ａがコイル円形平面に対し略平行に巻かれているので、ドア部材７の装着部７１のサイズが大きくならない。また、第２の腕部１２ａの端部１０ｂは、溝７９の幅方向に巻かれた状態であり、その巻き径が溝７９の幅よりわずかに小さい程度であるので、ケース側の溝７９内で溝底に当接し安定した位置決め状態で第２の腕部１２ａを保持できる。
【００３０】
図２（ｂ）のように、第１のコイル部１１及び第２のコイル部１２はそれぞれ巻数が１回で、第２のコイル部１２の外径が第１のコイル部１１の外径よりも大きい。各コイル部１１，１２は、コイルの中心軸のまわりに荷重（トルク）を受けると変形する。
【００３１】
ここで、図７を参照して荷重（Ｐ１，Ｐ２）がねじりばねに腕の先端（コイル中心Ｏからの長さＲ１，Ｒ２）に加わったときのモーメントＭ（＝Ｐ１・Ｒ１＝Ｐ２・Ｒ２）と、ねじりばねの角変位量φとの関係は、次式（Ａ）で表すことができる。
【００３２】
φ＝Ｍ・６４｛πＤＮ＋１／３(ａ１＋ａ２)｝／(Ｅπｔ４)  ・・・（Ａ）
ただし、Ｄ：コイル中心径
Ｎ：コイルの巻数
ｔ：線径
Ｅ：縦弾性係数
Ｍ：モーメント（腕の長さａ１、ａ２を考慮したモーメント）
【００３３】
ねじりばねは、式（Ａ）から分かるように、同じトルクが加われば、径が大きいほど、また、巻数が多いほど、変形し易くなる。
【００３４】
また、図２（ｂ）のように、第２のコイル部１２の外径（＝内径ｄ２＋２ｔ）は、第１のコイル部１１の外径ｄ１よりも大きい。従って、次式（１）が成り立つ。また、第１のコイル部１１の外径ｄ１は、第２のコイル部１２の内径ｄ２よりも大きい。従って、次式（２）が成り立つ。
【００３５】
ｄ２＋２ｔ＞ｄ１  ・・・（１）
【００３６】
ｄ１＞ｄ２  ・・・（２）
ただし、ｄ１：第１のコイル部１１の外径
ｄ２：第２のコイル部１２の内径
ｔ：ねじりばね部材１０の線径
【００３７】
式（１）、（２）から次式（３）が成り立つ。
【００３８】
０＜ｄ１−ｄ２＜２ｔ  ・・・（３）
【００３９】
即ち、式（３）が成り立つようにコイル部１１，１２の径を決めることで、第１のコイル部１１と第２のコイル部１２の径を異ならせても、組み立て工程等において、径の小さい第１コイル部１１が第２コイル部１２の内径に入り込んでしまうことがないので、ねじりばね部材１０同士が絡み難くなる。例えば、線径ｄを０．３ｍｍとした場合、第１のコイル部１１の外径ｄ１と第２のコイル部１２の内径ｄ２との差（ｄ１−ｄ２）を０．５ｍｍ程度とすることが好ましい。
【００４０】
また、上記のようにコイル部１１，１２の径を決めることで、第２のコイル部１２を第１のコイル部１１よりも変形し易くすることができる。
【００４１】
図５は図１のカートリッジにおいて図２のねじりばね部材を装着しドア部材を付勢し閉じた状態を示す側断面図である。図５のように、図２のねじりばね部材１０をカートリッジのケースの側面の開口部７８を開閉するドア部材７とともに組み込む。
【００４２】
即ち、ねじりばね部材１０は、図４（ｄ）のようにその端部１０ａがドア部材７の装着部７１に仮止めされた状態で、図１のように下ケース２の溝７９内に収められ、ドア部材７を付勢方向Ｆに付勢するように図５の横方向に若干圧縮されて取り付けられ、開口部７８を常時閉塞する。ねじりばね部材１０の反対側の端部１０ｂは下ケース２の溝７９内のばね当接部２４に当接し保持されるようになっている。また、ドア部材７は下ケース２の溝７８ａ及び溝７９及び上ケース１の同様の溝（図示省略）内でガイドされながら付勢方向Ｆ及びその反対方向Ｆ’に摺動できる。
【００４３】
次に、上述のドア部材７及びねじりばね部材１０を組み込んだカートリッジにおけるねじりばね部材１０の動作について図６を参照して説明する。図６（ａ）乃至図６（ｄ）はドア部材を付勢方向Ｆの反対方向Ｆ’にスライドさせて開放する際の各段階におけるねじりばね部材１０の動きを示す図５と同様の側面図である。
【００４４】
図５、図６（ａ）のように、ねじりばね部材１０の付勢力によりドア部材７が閉じた状態では、ねじりばね部材１０の第１のコイル部１１は、ドア部材７に近い側に配置され、ケースの厚さ方向（図の縦方向）の位置がケースの厚さの略半分の高さ位置にあり、また、第２のコイル部１２はケースの厚さの略半分の高さ位置よりも高い位置にある。
【００４５】
カートリッジが記録再生装置に装着されると、装置側の開放部材がドア部材７の係合部８０に係合し、ドア部材７を方向Ｆ’に動かす動作を始める。そして、図６（ａ）の状態から図６（ｂ）のようにドア部材７が方向Ｆ’に開き始めると、ねじりばね部材１０はコイル部１１，１２が方向Ｆ’に移動する。第２のコイル部１２は第２の腕部１２ａが折れ曲がり部１０ｄで当接部２４に当接するように動き、主に第２のコイル部１２が変形しながら移動する。
【００４６】
次に、図６（ｃ）のように、更にドア部材７が方向Ｆ’に開くと、第２のコイル部１２が更に変形し方向Ｆ’に倒れるように高さ位置を下げながら移動し後方壁２５に当接し、第２の腕部１２ａの端部１０ｂが方向Ｆに若干反対方向に移動する。
【００４７】
次に、図６（ｄ）のように、更にドア部材７が方向Ｆ’に動き完全に開くと、第２のコイル部１２は後方壁２５に当接しているため方向Ｆ’に移動しないが、第１のコイル部１１が変形しながら高さ位置が下方に移動し、当接部２４の近傍に収まる。
【００４８】
図６（ａ）乃至（ｄ）のように、ドア部材７がねじりばね部材１０の付勢力に抗して開く方向Ｆ’に移動するとき、ドア部材７から離れた側の第２のコイル部１１がドア部材７側の第１のコイル部１２よりも変形がし易いので、ドア部材７に無理な力が加わらずにドア部材７をスムースに開くことができる。
【００４９】
従来の図８の構成によれば、ドア部材側のコイルが移動中に下方に突然、下がることがあり、ドア部材の動きが不自然になり、ドア部材を動かす力が急上昇することがあったが、本実施の形態では、第１のコイル部１１と第２のコイル部１２との変形のし易さを変えることで、各コイル部１１，１２を順序よく変形させることができるので、ドア部材７を自然にスムースに開くことができる。
【００５０】
また、従来は、コイルの腕部の長さを調整することである程度防止可能であったが、腕部の長さの調整はスペース上の制約を受け易いという問題があったのに対し、本実施の形態では、各コイル部１１，１２の径を変えることで、変形のし易さを容易に変えることができるので、限られたスペースに配置されることに起因する腕部長さ調整の制約を受け難くなり、ねじりばね部材の部品コストアップにならない。
【００５１】
また、カートリッジの組み立て工程において、ねじりばねが絡み易く解きづらくなってしまい、パーツフィーダなどで搬送するとき、組み立て工程が遅延し歩留まり低下となることがあったが、上述のように各コイル部１１，１２の径を変えても、式（３）を満たすように各コイル部の径を決めることで、各コイル部１１，１２における絡みの問題を解消できる。また、ねじりばね部材１０の端部１０ａと端部１０ｂが巻かれていることで、ねじりばね部材１０同士が各腕部１１ａ，１２ａの端部で絡み難くなる。以上のようにして、組み立て工程においてねじりばね部材１０同士が絡み難くなるので、組み立て工程の遅延及び歩留まり低下の問題を解消できる。
【００５２】
以上のように本発明を実施するための最良の形態について説明したが、本発明はこれらに限定されるものではなく、本発明の技術的思想の範囲内で各種の変形が可能である。例えば、ねじりばね部材１０の各コイル部１１，１２の径・巻数は、変形のし易さやコイル部の絡み防止を考慮して適宜変更できることは勿論である。具体的には、一例として、第２のコイル部１２の巻数を第１のコイル部１１の巻数よりも多くすることで変形し易くできるため、この場合、コイル部１１の外径をコイル部１２の外径よりも大きくしてもコイル部１２を変形し易くすることができる。但し、式（３）のｄ１とｄ２の関係を逆にすることが必要である。
【図面の簡単な説明】
【００５３】
【図１】本実施の形態によるカートリッジの分解斜視図である。
【図２】図１のカートリッジのねじりばね部材の上面図（ａ）、側面図（ｂ）及び下面図（ｃ）である。
【図３】図１のカートリッジのドア部材をケース外面側から見た斜視図（ａ）及びその反対側から見た斜視図（ｂ）である。
【図４】図３のドア部材の装着部を拡大した正面図（ａ）、Ｂ−Ｂ線方向に切断してみた断面図（ｂ）、Ｃ−Ｃ線方向に切断してみた断面図（ｃ）及び装着部にねじりばね部材の端部を装着するときの様子を示す正面図（ｄ）である。
【図５】図１のカートリッジにおいて図２のねじりばね部材を装着しドア部材を付勢し閉じた状態を示す側断面図である。
【図６】ドア部材を付勢方向Ｆの反対方向Ｆ’にスライドさせて開放する際の各段階におけるねじりばね部材１０の動きを示す図５と同様の側面図（ａ）乃至（ｄ）である。
【図７】ねじりばねのモーメントと角変位量の関係を説明するための平面図である。
【図８】従来のテープカートリッジでねじりばね部材を装着しドア部材を付勢し閉じた状態を示す側断面図である。
【符号の説明】
【００５４】
１ 上ケース
２ 下ケース
３ テープリール
７ ドア部材
７ａ 一端部
７ｂ 他端部
８ リーダ部材
１０ ねじりばね部材
１０ａ 端部
１０ｂ 端部
１０ｃ 連結部
１０ｄ 折れ曲がり部
１１ 第１のコイル部
１１ａ 第１の腕部
１２ 第２のコイル部
１２ａ 腕部
２４ 当接部
２５ 後方壁
７１ ドア部材の装着部
７７ 凸部
７８ 開口部
７８ａ 溝
７９ 溝
８０ 係合部
８１ ピン部材
Ｆ 付勢方向
Ｆ’ 付勢方向Ｆの反対方向、移動方向
ｄ１ 第１のコイル部の外径
ｄ２ 第２のコイル部の内径
【図１】
2005129200.tif 000003
【図２】
2005129200.tif 000004
【図３】
2005129200.tif 000005
【図４】
2005129200.tif 000006
【図５】
2005129200.tif 000007
【図６】
2005129200.tif 000008
【図７】
2005129200.tif 000009
【図８】
2005129200.tif 000010